(57)【要約】【課題】遊技機の遊技設置構造体への固定と貨物自動車に積載した複数の遊技機どうしの固定との双方への使用化を図る。【解決手段】遊技機枠１の上下横片２１；２２の左右側部に上下固定具２３；２４を備え、上下固定具２３；２４の刺具２５；４１の尖端が上下横片２１；２２より突出して島の横桟または支持台に打ち込まれた後、刺具２５；４１が回転され、突起２６が上突起収納凹部３１に保持され、突起４２が下突起収納凹部４８に保持されることで、上下固定具２３；２４が遊技機枠１を島に固定する。また、複数の遊技機を貨物自動車の荷台に縦置きし、上横片２１より上方に突出した刺具２５の尖端が当板に打ち込まれることで、上固定具２３が複数の遊技機枠１どうしを固定する。【選択図】図１
2005046602.tif 000002
【特許請求の範囲】
【請求項１】
四角形な額縁状に形成された遊技機枠の上横片と下横片とに上下固定具を個別に備えた遊技機固定装置において、
遊技機枠の上横片に設けられた上固定具が、尖端の有る直線棒体の刺具と、刺具の中間部より径方向外側に突出した棒状の突起と、刺具の突起よりも下部を回転可能かつ上下移動可能に支持して上横片の内側面に取り付けられる支持躯体と、刺具を支持躯体に対し上方に付勢する弾性体と、上横片に設けられて突起を上下方向に直線的に移動するとともに刺具の回転を規制する案内孔と、上横片に設けられて案内孔の上部に連接された上突起収納凹部と、上横片に設けられて案内孔の下部に連接された下突起収納凹部とを備え、この上固定具の弾性体の弾力に抗して突起が案内孔と交差する格好で下突起収納凹部に収納された場合は刺具の尖端が上横片の上面より上方に突出せず、この突起が下突起収納凹部に収納された状態から刺具が回転操作され、突起が案内孔と出合うと、弾性体の弾力で突起が案内孔を下方から上方に移動するのに伴い、刺具の尖端が上横片の上面より上方に突出し、突起が案内孔を下方から上方に抜けた場合に刺具が回転操作され、突起が案内孔と交差する格好で上突起収納凹部に収納されることで、上記刺具の尖端が上横片の上面より上方に突出した格好が保持される一方、
遊技機枠の下横片に設けられた下固定具が、尖端の有る直線棒体の刺具と、刺具の中間部より径方向外側に突出した棒状の突起と、刺具の突起よりも上部を回転可能かつ上下移動可能に支持して下横片の内側面に取り付けられる支持躯体と、刺具を支持躯体に対し下方に付勢する弾性体と、下横片に設けられて突起を上下方向に直線的に移動するとともに刺具の回転を規制する案内孔と、下横片に設けられて案内孔の上部に連接された上突起収納凹部と、下横片に設けられて案内孔の下部に連接された下突起収納凹部とを備え、この下固定具の弾性体の弾力に抗して突起が案内孔と交差する格好で上突起収納凹部に収納された場合は刺具の尖端が下横片の下面より下方に突出せず、この突起が上突起収納凹部に収納された状態から刺具が回転操作され、突起が案内孔と出合うと、弾性体の弾力で突起が案内孔を上方から下方に移動するのに伴い、刺具の尖端が下横片の下面より下方に突出し、突起が案内孔を上方から下方に抜けた場合に刺具が回転操作され、突起が案内孔と交差する格好で下突起収納凹部に収納されることで、上記刺具の尖端が下横片の下面より下方に突出した格好が保持されることを特徴とする遊技機固定装置。
【請求項２】
四角形な額縁状に形成された遊技機枠の上横片または下横片に固定具を備えた遊技機固定装置において、
固定具が、尖端の有る直線棒体の刺具と、刺具の中間部より径方向外側に突出した棒状の突起と、刺具の突起よりも下部または上部を回転可能かつ上下移動可能に支持して遊技機枠の上横片または下横片の内側面に取り付けられる支持躯体と、刺具を支持躯体に対し上方または下方に付勢する弾性体と、遊技機枠の上横片または下横片に設けられて突起を上下方向に直線的に移動するとともに刺具の回転を規制する案内孔と、遊技機枠の上横片または下横片に設けられて案内孔の上部または下部に連接された突起収納凹部とを備え、この固定具の弾性体の弾力に抗して突起が案内孔と交差する格好で支持躯体と押え体との空間部に収納された場合は刺具の尖端が上横片の上面より上方にまたは下横片の下面より下方に突出せず、この突起が支持躯体と押え体との空間部に収納された状態から刺具が回転操作され、突起が案内孔と出合うと、弾性体の弾力で突起が案内孔を下方から上方にまたは上方から下方に移動するのに伴い、刺具の尖端が上横片の上面より上方にまたは下横片の下面より下方に突出し、突起が案内孔を下方から上方にまたは上方から下方に抜けた場合に刺具が回転操作され、突起が案内孔と交差する格好で突起収納凹部に収納されることで、上記刺具の尖端が上横片の上面より上方にまたは下横片の下面より下方に突出した格好が保持されることを特徴とする遊技機固定装置。
【請求項３】
突起が刺具の外径方向の両側に設けられたことを特徴とする請求項１記載の遊技機固定装置。
【請求項４】
上固定具の刺具が支持躯体より突出した下端部に刺具の外径より大きな外形の頭部を備えたことを特徴とする請求項１記載の遊技機固定装置。
【請求項５】
下固定具の刺具が支持躯体より突出した上端部に刺具の外径より大きな外形の頭部を備えたことを特徴とする請求項１記載の遊技機固定装置。
【請求項６】
支持躯体が上横片または下横片にねじで固定されたことを特徴とする請求項１記載の遊技機固定装置。
【発明の詳細な説明】
【技術分野】
【０００１】
本発明は、遊技機を遊技店の島と呼ばれる遊技設置構造体に設置する場合に遊技機を遊技設置構造体に固定したり、貨物自動車で運搬する場合に複数の遊技機どうしを固定したりすることができる、遊技機固定装置に関する。
【背景技術】
【０００２】
遊技機を遊技店の島と呼ばれる遊技設置構造体に設置する場合、遊技設置構造体の遊技機を載せる支持台と支持台より上方に設けられた横桟との間の空間に、遊技機を配置し、この遊技機における四角形な額縁状に形成された遊技機枠の上横片を遊技設置構造体の横桟にクランプ機構で挟み付けることで固定し、当該遊技機枠の下横片を遊技設置構造体の支持台にクランプ機構で挟み付けることで固定することが知られている。しかしながら、遊技機製造会社から市販される遊技機を貨物自動車で運搬する場合、クランプ機構で複数の遊技機どうしを固定することができないという欠点がある。また、遊技機製造会社から市販される遊技機を貨物自動車で運搬する場合、遊技機の下部が上となるように、遊技機の上下を逆さにして、複数の遊技機を貨物自動車の荷台に並べて搭載し、その上から当板を複数の遊技機の上に渡し、当板の上から各遊技機の当板と接触する下部に釘を打ち付けることによって、複数の遊技機が倒れないように固定している。しかしながら、遊技機を遊技店に納入するために貨物自動車から降ろす場合、釘を遊技機と当板とから取り外し、遊技機を荷降ろしするので、荷降ろしした製品である遊技機に釘の抜孔が跡として残り、品質信頼性が悪いという欠点があった。
【特許文献１】特許第２５２８０４６号公報
【特許文献２】特許第２５１８８０１号公報
【発明の開示】
【発明が解決しようとする課題】
【０００３】
発明が解決しようとする課題は、遊技設置構造体に設置する場合と貨物自動車で運搬する場合との双方において、遊技機を固定することができないないという点である。
【課題を解決するための手段】
【０００４】
本発明に係る遊技機固定装置は、四角形な額縁状に形成された遊技機枠の上横片と下横片とに上下固定具を個別に備えた遊技機固定装置において、遊技機枠の上横片に設けられた上固定具が、尖端の有る直線棒体の刺具と、刺具の中間部より径方向外側に突出した棒状の突起と、刺具の突起よりも下部を回転可能かつ上下移動可能に支持して上横片の内側面に取り付けられる支持躯体と、刺具を支持躯体に対し上方に付勢する弾性体と、上横片に設けられて突起を上下方向に直線的に移動するとともに刺具の回転を規制する案内孔と、上横片に設けられて案内孔の上部に連接された上突起収納凹部と、上横片に設けられて案内孔の下部に連接された下突起収納凹部とを備え、この上固定具の弾性体の弾力に抗して突起が案内孔と交差する格好で下突起収納凹部に収納された場合は刺具の尖端が上横片の上面より上方に突出せず、この突起が下突起収納凹部に収納された状態から刺具が回転操作され、突起が案内孔と出合うと、弾性体の弾力で突起が案内孔を下方から上方に移動するのに伴い、刺具の尖端が上横片の上面より上方に突出し、突起が案内孔を下方から上方に抜けた場合に刺具が回転操作され、突起が案内孔と交差する格好で上突起収納凹部に収納されることで、上記刺具の尖端が上横片の上面より上方に突出した格好が保持される一方、遊技機枠の下横片に設けられた下固定具が、尖端の有る直線棒体の刺具と、刺具の中間部より径方向外側に突出した棒状の突起と、刺具の突起よりも上部を回転可能かつ上下移動可能に支持して下横片の内側面に取り付けられる支持躯体と、刺具を支持躯体に対し下方に付勢する弾性体と、下横片に設けられて突起を上下方向に直線的に移動するとともに刺具の回転を規制する案内孔と、下横片に設けられて案内孔の上部に連接された上突起収納凹部と、下横片に設けられて案内孔の下部に連接された下突起収納凹部とを備え、この下固定具の弾性体の弾力に抗して突起が案内孔と交差する格好で上突起収納凹部に収納された場合は刺具の尖端が下横片の下面より下方に突出せず、この突起が上突起収納凹部に収納された状態から刺具が回転操作され、突起が案内孔と出合うと、弾性体の弾力で突起が案内孔を上方から下方に移動するのに伴い、刺具の尖端が下横片の下面より下方に突出し、突起が案内孔を上方から下方に抜けた場合に刺具が回転操作され、突起が案内孔と交差する格好で下突起収納凹部に収納されることで、上記刺具の尖端が下横片の下面より下方に突出した格好が保持されるか、または、四角形な額縁状に形成された遊技機枠の上横片または下横片に固定具を備えた遊技機固定装置において、固定具が、尖端の有る直線棒体の刺具と、刺具の中間部より径方向外側に突出した棒状の突起と、刺具の突起よりも下部または上部を回転可能かつ上下移動可能に支持して遊技機枠の上横片または下横片の内側面に取り付けられる支持躯体と、刺具を支持躯体に対し上方または下方に付勢する弾性体と、遊技機枠の上横片または下横片に設けられて突起を上下方向に直線的に移動するとともに刺具の回転を規制する案内孔と、遊技機枠の上横片または下横片に設けられて案内孔の上部または下部に連接された突起収納凹部とを備え、この固定具の弾性体の弾力に抗して突起が案内孔と交差する格好で支持躯体と押え体との空間部に収納された場合は刺具の尖端が上横片の上面より上方にまたは下横片の下面より下方に突出せず、この突起が支持躯体と押え体との空間部に収納された状態から刺具が回転操作され、突起が案内孔と出合うと、弾性体の弾力で突起が案内孔を下方から上方にまたは上方から下方に移動するのに伴い、刺具の尖端が上横片の上面より上方にまたは下横片の下面より下方に突出し、突起が案内孔を下方から上方にまたは上方から下方に抜けた場合に刺具が回転操作され、突起が案内孔と交差する格好で突起収納凹部に収納されることで、上記刺具の尖端が上横片の上面より上方にまたは下横片の下面より下方に突出した格好が保持されることを最も主要な特徴とする。また、本発明にあっては、突起が刺具の外径方向の両側に設けられれば、支持躯体に対する刺具の姿勢を安定させることができる。また、上固定具の刺具が支持躯体より突出した下端部に刺具の外径より大きな外形の頭部を備えたり、下固定具の刺具が支持躯体より突出した上端部に刺具の外径より大きな外形の頭部を備えたり、支持躯体が上横片または下横片にねじで固定されたりすることも特徴とする。
【発明の効果】
【０００５】
本発明に係る遊技機固定装置は、遊技機を遊技設置構造体に固定することと、貨物自動車に積載した複数の遊技機を固定することとが、遊技機に固定跡の痕跡の残存しない適切な形態で行えるという利点がある。上固定具の刺具が支持躯体より突出した下端部に刺具の外径より大きな外形の頭部を備えるか、または、下固定具の刺具が支持躯体より突出した上端部に刺具の外径より大きな外形の頭部を備えれば、作業者が刺具を回転する場合、頭部を手で掴んで回すことができるので、刺具の回転操作を容易に行うことができるという利点がある。支持躯体が上横片または下横片にねじで固定されれば、上下固定具の上横片または下横片への取付強度を向上することができる。
【発明を実施するための最良の形態】
【０００６】
図１−図７は発明を実施するための最良の形態である。図１は、遊技機固定装置を分解して示す。図２は、上固定具２３を分解して示す。図３は、下固定具２４を分解して示す。図４は、刺具２５の尖端が上横片２１の上面より突出していない形態の断面を示す。図５は、刺具２５の尖端が上横片２１の上面より突出した形態の断面を示す。図６は、遊技機枠１を遊技設置構造体６０に固定した断面を示す。図７は、遊技機を貨物自動車の荷台７０に積み込んだ形態を示す。
【０００７】
図１を参照し、遊技機固定装置について、パチンコ機固定装置を例として、説明する。パチンコ機では、四角形な額縁状に形成された外枠と呼ばれる遊技機枠１が、上ヒンジ２と下ヒンジ３とを備える。四角形な額縁状に形成された前枠や内枠と呼ばれる可動枠４が、上ヒンジ５と下ヒンジ６とを備える。そして、遊技機枠１の上ヒンジ２と可動枠４の上ヒンジ５とが互いにヒンジの回転中心を構成する軸と軸受穴との嵌め合いで回転可能に連結され、遊技機枠１の下ヒンジ３と可動枠４の下ヒンジ６とが互いにヒンジの回転中心を構成する軸と軸受穴との嵌め合いで回転可能に連結されることで、可動枠４が遊技機枠１に左側を回転中心として前側横方向に片開き可能に取り付けられる。遊技機枠１の下部前面には幕板７が結合されているが、図１は、下固定具２４を見せるために幕板７を取り外した状態を示している。
【０００８】
可動枠４は、閉じられると、遊技機枠１に、図外のロック機構で固定される。可動枠４の前部には、窓８を覆うガラスまたは合成樹脂からなる光透過性の有るパネル９を有する前飾りまたはガラス枠と呼ばれる開閉枠１０と、遊技媒体である球を受ける球皿１１と、ハンドルグリップと呼ばれる発射操作機構１２とを備える。開閉枠１０および球皿１１は、可動枠４に、左側の図外のヒンジで前側横方向に片開き可能に取り付けられる。可動枠４の内部には、図外の機構枠やリアプレートと呼ばれる遊技盤収納部構成体と、図外の発射機構とを備える。そして、開閉枠１０が開けられ、遊技盤１３が遊技盤収納部構成体で形成された収納室に格納された後、開閉枠１０が閉じられて可動枠４に図外のロック機構で固定される。球皿１１は、閉じられると、可動枠４に、図外のロック機構で固定される。
【０００９】
パチンコ機固定装置は、遊技機枠１の上横片２１と下横片２２とに個別に設けられる上下固定具２３；２４を備える。図２にも示すように、上固定具２３は、刺具２５と、突起２６と、頭部２７と、支持躯体２８と、弾性体２９と、案内孔３０と、上突起収納凹部３１と、下突起収納凹部３２とを備える。刺具２５は、尖端の有る直線棒体である。突起２６は、刺具２５の中間部より径方向外側に突出した棒状になっている。突起２６は、刺具２５の中心と直交する直線上で外径方向の両側に設けられる。
【００１０】
刺具２５の突起２６より下部の端面には、端面の中心より内部に行き止まりのねじ孔なる結合部３３が形成される。ねじ孔は、孔の内周面に雌ねじの形成された孔である。頭部２７は、刺具２５の下部の外径より大きな外形の円板である。頭部２７の外周面は、作業者の手による操作性をよくするために、ローレット加工による周方向に連続した波形状の凹凸に形成される。頭部２７の上面の中心には、直線的な丸棒状の外周面に雄ねじの形成された結合部３４が頭部２７の上面より上方に突出する格好で設けられる。支持躯体２８は、刺具２５の突起２６よりも下部を回転可能かつ上下移動可能に支持して上横片２１の内側面に取り付けられる。支持躯体２８は、中央部に上方および前後に開放された収容凹部３５を備える。収容凹部３５の底壁には、刺具挿入孔３６が形成される。
【００１１】
支持躯体２８は、収容凹部３５の左右に取付部３７を備える。取付部３７には、取付孔３８が形成される。弾性体２９は、刺具２５を支持躯体２８に対し上方に付勢するコイルスプリングにより形成される。案内孔３０は、上横片２１に設けられ、突起２６を上下方向に直線的に移動し、突起２６が案内孔３０に配置されることで、刺具２５の回転を規制する平面視長方形を呈する角穴である。
【００１２】
上突起収納凹部３１は、上横片２１に設けられ、案内孔３０の上部に同軸に連接される。上突起収納凹部３１は、上横片２１の上面（外側面）に開放され、案内孔３０の中心と同軸な円形な窪みであって、刺具２５の突起２６より上部または下部が案内孔３０に配置されて、刺具２５が回転操作された場合に、窪みの直径は突起２６が回転し得る大きさである。下突起収納凹部３２は、上横片２１に設けられ、案内孔３０の下部に同軸に連接される。下突起収納凹部３２は、上横片２１の下面（内側面）に開放され、案内孔３０の中心と同軸な円形な窪みであって、刺具２５の突起２６より上部または下部が案内孔３０に配置されて刺具２５が回転操作された場合に、窪みの直径は突起２６が回転し得る大きさである。
【００１３】
上固定具２３は上横片２１に設けられる。弾性体２９が支持躯体２８の収容凹部３５における底壁の上に置かれ、刺具２５の下部が収容凹部３５の上方から弾性体２９の内部空間を経由して収容凹部３５における底壁の刺具挿入孔３６に挿入される。これによって、弾性体２９が刺具２５の突起２６と収容凹部３５の底壁との間における部分を接触せずに取り囲み、弾性体２９の上端部が突起２６の下面に接触し、弾性体２９の下端部が収容凹部３５における底壁の上面に接触する。
【００１４】
その後、頭部２７の結合部３４と支持躯体２８の刺具挿入孔３６より下方に突出した刺具２５の結合部３３とが互いに締結される。このように刺具２５および弾性体２９の組み込まれた支持躯体２８が、遊技機枠１の内部空間から上横片２１の下面に配置される。この場合、支持躯体２８の取付部３７よりも上方に突出した刺具２５の尖端が、下突起収納凹部３２から案内孔３０を経由して上突起収納凹部３１に挿入される。その後、木ねじのような取付ねじ３９が支持躯体２８の取付孔３８から上横片２１に締結される。これによって、上固定具２３が上横片２１の内側面に取り付けられる。
【００１５】
このように上横片２１の内側に配置されて上横片２１に取り付けられた上固定具２３にあっては、図４に示すように、弾性体２９の弾力に抗し、突起２６が案内孔３０と交差する格好で下突起収納凹部３２に収納されると、刺具２５の尖端が少なくとも上突起収納凹部３１に配置されて上横片２１の上面より上方に突出しない。このように突起２６が案内孔３０と交差する格好で下突起収納凹部３２に収納された場合、刺具２５の尖端における軸心方向の寸法の設定により、刺具２５の尖端は、上突起収納凹部３１にだけ配置される場合と、上突起収納凹部３１と案内孔３０とに配置される場合とがある。
【００１６】
この突起２６が下突起収納凹部３２に収納された状態から刺具２５が回転操作され、突起２６が案内孔３０と出合うと、弾性体２９の弾力で突起２６が案内孔３０を下方から上方に移動するのに伴い、刺具２５の尖端が上横片２１の上面より上方に突出する。この突起２６の移動中において、突起２６が案内孔３０に配置されている間は、刺具２５が軸心周りに回転操作されても、突起２６が案内孔３０の孔壁面（案内孔３０を囲む壁面）に突き当たり刺具２５の回転は規制される。そして、図５に示すように、突起２６が案内孔３０を下方から上方に抜けた後、刺具２５が回転操作されることによって、突起２６が案内孔３０と交差する格好で上突起収納凹部３１に収納されると、上記刺具２５の尖端が上横片２１の上面より上方に突出した格好が保持される。
【００１７】
図３にも示すように、下固定具２４は、刺具４１と、突起４２と、頭部４３と、支持躯体４４と、弾性体４５と、案内孔４６と、上突起収納凹部４７と、下突起収納凹部４８とを備える。刺具４１は、尖端の有る直線棒体である。突起４２は、刺具４１の中間部より径方向外側に突出した棒状になっている。突起４２は、刺具４１の中心と直交する直線上で外径方向の両側に設けられる。刺具４１の突起４２より上部の端面には、端面の中心より内部に行き止まりのねじ孔なる結合部４９が形成される。ねじ孔は、孔の内周面に雌ねじの形成された孔である。
【００１８】
頭部４３は、刺具４１の上端部の外径より大きな外形の円板である。頭部４３の外周面は、作業者の手による操作性をよくするために、ローレット加工による周方向に連続した波形状の凹凸に形成される。頭部４３の下面の中心には、直線的な丸棒状の外周面に雄ねじの形成された結合部５０が頭部４３の下面より下方に突出する格好で設けられる。支持躯体４４は、刺具４１の突起４２よりも上部を回転可能かつ上下移動可能に支持して下横片２２の内側面に取り付けられる。支持躯体４４は、中央部に下方および前後に開放された収容凹部５１を備える。収容凹部５１の蓋壁には、刺具挿入孔５２が形成される。
【００１９】
支持躯体４４は、収容凹部５１の左右に取付部５３を備える。取付部５３には、取付孔５４が形成される。弾性体４５は、刺具４１を支持躯体４４に対し下方に付勢するコイルスプリングにより形成される。案内孔４６は、下横片２２に設けられ、突起４２を上下方向に直線的に移動し、突起４２が案内孔４６に配置されることで、刺具４１の回転を規制する平面視長方形を呈する角穴である。
【００２０】
上突起収納凹部４７は、下横片２２に設けられ、案内孔４６の上部に同軸に連接される。上突起収納凹部４７は、下横片２２の上面（内側面）に開放され、案内孔４６の中心と同軸な円形な窪みであって、刺具４１の突起４２より上部または下部が案内孔４６に配置され、刺具４１が回転操作された場合に、窪みの直径は突起４２が回転し得る大きさである。下突起収納凹部４８は、下横片２２に設けられ、案内孔４６の下部に同軸に連接される。下突起収納凹部４８は、下横片２２の下面（外側面）に開放され、案内孔４６の中心と同軸な円形な窪みであって、刺具４１の突起４２より上部または下部が案内孔４６に配置されて刺具４１が回転操作された場合に、窪みの直径は突起４２が回転し得る大きさである。
【００２１】
下固定具２４は下横片２２に設けられる。弾性体４５が支持躯体４４の収容凹部５１における蓋壁の下に置かれ、刺具４１の上部が収容凹部５１の下方から弾性体４５の内部空間を経由して収容凹部５１における蓋壁の刺具挿入孔５２に挿入される。これによって、弾性体４５が刺具４１の突起４２と収容凹部５１の蓋壁との間における部分を接触せずに取り囲み、弾性体４５の下端部が突起４２の上面に接触し、弾性体４５の上端部が収容凹部５１における蓋壁の下面に接触する。
【００２２】
その後、頭部４３の結合部５０と支持躯体４４の刺具挿入孔５２より上方に突出した刺具４１の結合部４９とが互いに締結される。このように刺具４１および弾性体４５の組み込まれた支持躯体４４が、遊技機枠１の内部空間から下横片２２の上面に配置される。この場合、支持躯体４４の取付部５３よりも下方に突出した刺具４１の尖端が、上突起収納凹部４７から案内孔４６を経由して下突起収納凹部４８に挿入される。その後、木ねじのような取付ねじ５５が支持躯体４４の取付孔５４から下横片２２に締結される。これによって、下固定具２４が下横片２２の内側面に取り付けられる。
【００２３】
このように下横片２２の内側に配置されて下横片２２に取り付けられた下固定具２４にあっては、弾性体４５の弾力に抗し、突起４２が案内孔４６と交差する格好で上突起収納凹部４７に収納されると、刺具４１の尖端が少なくとも下突起収納凹部４８に配置されて下横片２２の下面より下方に突出しない（この刺具４１の尖端が突出しない形態が図４に相当することは、図４の符号を読み替えることによって理解できるであろう）。
【００２４】
このように突起４２が案内孔４６と交差する格好で上突起収納凹部４７に収納された場合、刺具４１の尖端における軸心方向の寸法の設定により、刺具４１の尖端は、下突起収納凹部４８にだけ配置される場合と、下突起収納凹部４８と案内孔４６とに配置される場合とがある。この突起４２が上突起収納凹部４７に収納された状態から刺具４１が回転操作され、突起４２が案内孔４６と出合うと、弾性体４５の弾力で突起４２が案内孔４６を上方から下方に移動するのに伴い、刺具４１の尖端が下横片２２の下面より下方に突出する。
【００２５】
この突起４２の移動中において、突起４２が案内孔４６に配置されている間は、刺具４１が軸心周りに回転操作されても、突起４２が案内孔４６に孔壁面（案内孔４６を囲む壁面）に突き当たり刺具４１の回転は規制される。そして、突起４２が案内孔４６を上方から下方に抜けた後、刺具４１が回転操作されることによって、突起４２が案内孔４６と交差する格好で下突起収納凹部４８に収納されると、上記刺具４１の尖端が下横片２２の下面より下方に突出した格好が保持される（この保持された形態が図５に相当することは、図５の符号を読み替えることによって理解できるであろう）。
【００２６】
図６を参照し、遊技機枠１を遊技設置構造体６０に取り付ける場合について説明する。図６のａ図に示すように、上固定具２３の刺具２５の尖端が上横片２１の上面より上方に突出しておらず、下固定具２４の刺具４１の尖端が下横片２２の下面より下方に突出していないように、上固定具２３および下固定具２４が設定される。この上固定具２３および下固定具２４の刺具２５；４１の尖端が上横片２１または下横片２２より突出していない形態は、図６のａ図に示されている。
【００２７】
このように上固定具２３および下固定具２４の刺具２５；４１が上横片２１または下横片２２より突出していない状態において、遊技機枠１が遊技設置構造体６０の支持台６１と横桟６２との間の空間に配置され、遊技機枠１の下横片２２が支持台６１の上に載せられ、遊技機枠１の上横片２１が横桟６２の下面に接触するかまたは接触する程度で対向させられる。次に、図６のｂ図に示すように、作業者が下固定具２４の頭部４３を回転操作する。この回転操作に伴い、突起４２が案内孔４６に取り込まれるように案内孔４６と出合うと、弾性体４５の弾力が突起４２を通して刺具４１に作用し、刺具４１が弾性体４５の弾力で下方に押し下げられる。
【００２８】
引き続き、作業者が頭部４３を手またはハンマーのような工具で直接的に下方に向けて押圧すると、突起４２が案内孔４６を上方から下方に移動して案内孔４６から抜け出る。このように刺具４１が押し下げられるのに伴い、刺具４１の尖端および突起４２よりも下部が支持台６１に打ち込まれる。その状態において、作業者が頭部４３を例えば９０度の回転運動範囲内で回転操作する。これによって、突起４２が案内孔４６と交差する格好となりつつ下突起収納凹部４８に配置される。
【００２９】
これと並行し、作業者が上固定具２３の頭部２７を回転操作する。この回転操作に伴い、突起２６が案内孔３０に取り込まれるように案内孔３０と出合うと、弾性体２９の弾力が突起２６を通して刺具２５に作用し、刺具２５が弾性体２９の弾力で上方に押し上げられる。引き続き、作業者が頭部２７を手またはハンマーのような工具で直接的に上方に向けて押圧すると、突起２６が案内孔３０を下方から上方に移動して案内孔３０から抜け出る。このように刺具２５が押し上げられるのに伴い、刺具２５の尖端および突起２６よりも上部が横桟６２に打ち込まれる。その状態において、作業者が頭部２７を例えば９０度の回転運動範囲内で回転操作する。これによって、突起２６が案内孔３０と交差する格好となりつつ上突起収納凹部３１に配置される。
【００３０】
図７を参照し、遊技機を貨物自動車で貨物自動車の荷台７０に積み込む場合について説明する。図７のａ図に示すように、貨物自動車の荷台７０には敷物７１が置かれる。敷物７１は上面に遊技機枠１の下部を嵌め込むための受容部７２を備える。そして、作業者が遊技機枠１と可動枠４とが互いに組み合わされた遊技機を荷台７０に載せる場合、遊技機枠１の下横片２２が敷物７１の受容部７２に上方より嵌め込まれる。上記遊技機枠１と組み合わされた可動枠４には、既に、図１に示すような、上下ヒンジ５；６、窓８、パネル９、開閉枠１０、球皿１１、発射操作機構１２、遊技盤１３などの遊技機を完成するために必要な部品が取り付けられている。つまり、貨物自動車に積み込まれる遊技機は、遊技機製造会社から遊技店に販売される製品である。
【００３１】
その後、作業者が上固定具２３の頭部２７を回転操作する。この回転操作に伴い、突起２６が案内孔３０に取り込まれるように案内孔３０と出合うと、弾性体２９の弾力が突起２６を通して刺具２５に作用し、刺具２５が弾性体２９の弾力で上方に押し上げられる。その状態において、作業者が頭部２７を押し上げるのに伴い、突起２６が案内孔３０を下方から上方に移動して案内孔３０から抜け出る。引き続き、作業者が頭部２７を例えば９０度の回転運動範囲内で回転操作する。これによって、突起２６が案内孔３０と交差する格好となりつつ上突起収納凹部３１に配置される。このように荷台７０に載せるべき数の複数の遊技機が縦置きで互いに離された状態で荷台７０に搭載される。
【００３２】
次に、図７のｂ図に示すように、作業者が複数の遊技機に差し渡される大きさの帯板状の当板７３を各遊技機における遊技機枠１より上方に突出している刺具２５の尖端にあてがう。その後、作業者が当板７３を手またはハンマーのような工具で直接的に押し下げることによって、各遊技機枠１における上固定具２３の刺具２５の尖端および突起２６よりも上部が当板７３に打ち込まれる。
【００３３】
この最良の形態によれば、図１に示すように、上固定具２３が上横片２１におけるブラケット７５に近い位置で左右に設けられているので、遊技機枠１が上固定具２３で図６の遊技設置構造体６０または図７の当板７３に固定された場合、遊技機枠１が遊技設置構造体６０または当板７３に回転しないように安定した姿勢で取り付けられる。また、図１に示すように、下固定具２４が下横片２２におけるブラケット７５に近い位置で左右に設けられているので、遊技機枠１が下固定具２４で図６の遊技設置構造体６０に固定された場合、遊技機枠１が遊技設置構造体６０に回転しないように安定した姿勢で取り付けられる。上固定具２３および下固定具２４は、両方が複数でもよいが、いずれか一方が１個でもよい。その場合、上固定具２３または下固定具２４が上横片２１または下横片２２の左右方向中央に１個設けられれば、遊技機枠１の取付姿勢安定の点から好ましい。
【００３４】
上固定具２３においては、図４に示すように、突起２６が弾性体２９の弾力に抗し弾性体２９を圧縮して案内孔３０と交差する格好で下突起収納凹部３２に収納されることによって、刺具２５の尖端が上横片２１の上面より上方に突出していない。つまり、弾性体２９の弾力下で、突起２６が案内孔３０と交差する格好で下突起収納凹部３２に収納された場合、遊技機枠１に振動が加えられたとしても、係る振動を弾性体２９が吸収し、突起２６が下突起収納凹部３２の上面に接触した状態が保持される。よって、刺具２５が上記振動に起因して周方向に回転することがなく、突起２６が案内孔３０と出合うことがなく、刺具２５の尖端が上横片２１より上方に不用意に突出するような不都合は防止することができる。
【００３５】
また、突起２６が、案内孔３０と交差する格好で下突起収納凹部３２に収納されている状態から、刺具２５が回転操作されることによって、突起２６が案内孔３０と出合うのに伴い、弾性体２９の弾力で突起２６が案内孔３０を下方から上方に移動し、刺具２５の尖端が上横片２１の上面より上方に突出する。そして、図４に示すように、突起２６が案内孔３０を下方から上方に抜けたところで、刺具２５が回転操作されることによって、突起２６が案内孔３０と交差する格好で上突起収納凹部３１に収納される。これによって、刺具２５の尖端が上横片２１より上方に突出した格好が保持される。したがって、刺具２５の尖端が図６のｂ図に示すように遊技設置構造体６０の横桟６２に打ち込まれた形態が、または、刺具２５の尖端が図７のｂ図に示すように当板７３に打ち込まれた形態が適切に維持される。
【００３６】
この刺具２５の上横片２１より突出した形態が保持されることによって、特に、図７のｂ図に示すように、貨物自動車の荷台７０に積載した複数の遊技機を当板７３で固定する場合、刺具２５が上横片２１より突出したまま、当板７３が刺具２５の尖端にあてがわれて上方より例えばハンマーで当板７３を局所的に叩くことで、刺具２５の尖端が当板７３に食い込むので、積載の作業が行い易い。
【００３７】
下固定具２４において、刺具４１の下横片２２の下面より突出していない形態が保持されること、刺具４１の下横片２２の下面より突出した形態が保持されることによる効果は、上固定具２３と同様である。とりわけ、下固定具２４の刺具４１の下横片２２の下面より突出していない形態が保持されることによって、複数の遊技機を貨物自動車の荷台７０に積載した場合、刺具４１が荷台７０に不用意に突き刺さるような不都合を防止することができる。
【００３８】
頭部２７；４３の結合部３４；５０と刺具２５；４１の結合部３３；４９とが互いに締結されることによって、刺具２５；４１の外径よりも大きな外形の頭部２７；４３が刺具２５；４１の支持躯体２８；４４より突出した上部または下部に結合されているので、刺具２５；４１の回転操作が行い易い。支持躯体２８；４４が上横片２１または下横片２２に取付ねじ３９；５５で固定されているので、上下固定具２３；２４の取付作業が容易であるばかりでなく、取付ねじ３９；５５の雄ねじが上横片２１または下横片２２に食い込むので、釘で支持躯体２８；４４を上横片２１または下横片２２に取り付けた場合に比べ、上下固定具２３；２４の取付強度が高い。
【００３９】
突起２６；４２が刺具２５；４１の外径方向の両側に設けられたので、突起２６；４２が上突起収納凹部３１；４７または下突起収納凹部３２；４８に収納された場合、突起２６；４２が上突起収納凹部３１；４７の下面または下突起収納凹部３２；４８の上面に接触して刺具２５；４１を倒れないように両側から支える。よって、支持躯体２８；４４に対する刺具２５；４１の姿勢が安定する。
【００４０】
上横片２１の下面に下突起収容凹部３２を設けたので、収容凹部３５の横幅を小さくできるとともに上固定具２３の上下寸法を小形化することができる。または下横片２２の上面に上突起収容凹部４７を設けたので、収容凹部５１の横幅を小さくできるとともに下固定具２４の上下寸法を小形化することができる。
【００４１】
複数の遊技機を当板７３で固定する場合、刺具２５が上横片２１より突出したまま、当板７３が刺具２５の尖端にあてがわれて上方より例えばハンマーで当板７３を局所的に叩くことで、刺具２５の尖端が当板７３に食い込むので、積載の作業が行い易い。
【００４２】
敷物７１は使用しなくてもよいが、敷物７１を使用すれば、遊技機が荷台７０に安定搭載される。図１の符号７５は、遊技機枠１の４隅で上横片２１と左右の縦片とを結合し、下横片２２と左右の縦片とを結合するブラケットである。図２の符号７６は支持躯体２８の取付部３７を嵌め込むために上横片２１の下面に彫り込まれた受容部である。図３の符号７７は支持躯体４４の取付部５３を嵌め込むために下横片２２の上面に彫り込まれた受容部である。図６では遊技機枠１の上下方向の寸法つまり遊技機枠１の高さが縮小されている。
【産業上の利用可能性】
【００４３】
図８−図１２は、発明を実施するための他の第１形態である。図８は、遊技機固定装置を分解して示す。図９は、上固定具２３を分解して示す。図１０は、下固定具２４を分解して示す。図１１は、刺具２５の尖端が上横片２１の上面より引っ込んだ形態の断面を示す。図１２は、刺具２５の尖端が上横片２１の上面より突出した形態の断面を示す。
【００４４】
上固定具２３の部分について説明すると、図８および図９に示すように、遊技機枠１の上横片２１から図２に示す下突起収納凹部３２を取り除いた格好である。具体的には、図９に示すように、上横片２１の上面（外側面）には上突起収納凹部３１が形成され、上横片２１の内部には案内孔３０が形成され、上横片２１の下面（内側面）には受容部７６が形成される。そして、弾性体２９が支持躯体２８の収容凹部３５における底壁の上に置かれ、刺具２５の下部が収容凹部３５の上方から弾性体２９の内部空間を経由して収容凹部３５における底壁の刺具挿入孔３６に挿入される。これによって、弾性体２９が刺具２５の突起２６と収容凹部３５の底壁との間における部分を接触せずに取り囲み、弾性体２９の上端部が突起２６の下面に接触し、弾性体２９の下端部が収容凹部３５における底壁の上面に接触する。
【００４５】
次に、頭部２７の結合部３４と支持躯体２８の刺具挿入孔３６より下方に突出した刺具２５の結合部３３とが互いに締結される。このように刺具２５および弾性体２９の組み込まれた支持躯体２８が、遊技機枠１の内部空間から上横片２１の下面に配置される。この場合、支持躯体２８の取付部３７よりも上方に突出した刺具２５の尖端が、案内孔３０を経由して上突起収納凹部３１に挿入される。支持躯体２８の取付部３７が上横片２１の受容部７６に挿入される。その後、木ねじのような取付ねじ３９が支持躯体２８の取付孔３８から上横片２１に締結される。これによって、上固定具２３が上横片２１の内側面に取り付けられる。
【００４６】
このように上横片２１の内側に配置されて上横片２１に取り付けられた上固定具２３にあっては、図１１に示すように、弾性体２９の弾力に抗し、突起２６が案内孔３０と交差する格好で上横片２１の案内孔３０周りの下面に接触することによって、刺具２５の尖端が上横片２１の上面より上方に突出しない。このように突起２６が上横片２１の下面に接触した状態から刺具２５が回転操作され、突起２６が案内孔３０と出合うと、弾性体２９の弾力で突起２６が案内孔３０を下方から上方に移動するのに伴い、刺具２５の尖端が上横片２１の上面より上方に突出する。この突起２６の移動中において、突起２６が案内孔３０に配置されている間は、刺具２５が軸心周りに回転操作されても、突起２６が案内孔３０の孔壁面に突き当たり刺具２５の回転は規制される。そして、図１２に示すように、突起２６が案内孔３０を下方から上方に抜けた後、刺具２５が回転操作されることによって、突起２６が案内孔３０と交差する格好で上突起収納凹部３１に収納されると、上記刺具２５の尖端が上横片２１の上面より上方に突出した格好が保持される。
【００４７】
下固定具２４の部分について説明すると、図８および図１０に示すように、遊技機枠１の下横片２２から図３に示す上突起収納凹部４７を取り除いた格好である。具体的には、図１０に示すように、下横片２２の下面（外側面）には下突起収納凹部４８が形成され、下横片２２の内部には案内孔４６が形成され、下横片２２の上面（内側面）には受容部７７が形成される。そして、弾性体４５が支持躯体４４の収容凹部５１における蓋壁の下に置かれ、刺具４１の上部が収容凹部５１の下方から弾性体４５の内部空間を経由して収容凹部５１における蓋壁の刺具挿入孔５２に挿入される。これによって、弾性体４５が刺具４１の突起４２と収容凹部５１の蓋壁との間における部分を接触せずに取り囲み、弾性体４５の下端部が突起４２の上面に接触し、弾性体４５の上端部が収容凹部５１における蓋壁の下面に接触する。
【００４８】
次に、頭部４３の結合部５０と支持躯体４４の刺具挿入孔５２より上方に突出した刺具４１の結合部４９とが互いに締結される。このように刺具４１および弾性体４５の組み込まれた支持躯体４４が、遊技機枠１の内部空間から下横片２２の上面に配置される。この場合、支持躯体４４の取付部５３よりも下方に突出した刺具４１の尖端が、案内孔４６を経由して下突起収納凹部４８に挿入される。支持躯体４４の取付部５３が下横片２２の受容部７７に挿入される。その後、木ねじのような取付ねじ５５が支持躯体４４の取付孔５４から下横片２２に締結される。これによって、下固定具２４が下横片２２の内側面に取り付けられる。このように下横片２２の内側に配置されて下横片２２に取り付けられた下固定具２４において、突起４２が案内孔４６と交差する格好で下横片２２の案内孔４６周りの下面に接触した場合、刺具４１の尖端が下横片２２の下面より下方に突出しない形態が、図１１に相当することは、図１１の符号を読み替えることによって理解できるであろう。下横片２２の内側に配置されて下横片２２に取り付けられた下固定具２４において、刺具４１の尖端が下横片２２の下面より下方に突出した格好が保持される形態が、図１２に相当することは、図１２の符号を読み替えることによって理解できるであろう。
【００４９】
この他の第１形態によれば、上横片２１が図２に示す下突起収納凹部３２を備えない簡単な構造であり、下横片２２が図３に示す上突起収納凹部４７を備えない簡単な構造となるという利点がある。
【００５０】
図１３は、発明を実施するための他の第２形態に係る、受容部７７を下横片２２の上面に案内孔４６を横切る格好で形成した形態を示す。このように受容部７７が形成されれば、図１０のように受容部７７が案内孔４６の両側に分離した形態で下横片２２の上面に個別に形成される場合に比べ、下横片２２に受容部７７を形成する加工が容易になるという利点がある。図示は省略するが、受容部７６を上横片２１の下面に案内孔３０を横切る格好で形成すれば、図９のように受容部７６が案内孔３０の両側に分離した形態で上横片２１の下面に個別に形成される場合に比べ、上横片２１に受容部７６を形成する加工が容易になるという利点がある。
【００５１】
図１４は、発明を実施するための他の第３形態に係る、上横片２１における上突起収納凹部３１の上面に突起受溝７８が案内孔３０と交差する格好に形成された形態を示す。このように、突起受溝７８が形成されれば、図１２に示すように、刺具２５が弾性体２９からの弾力より開放され、突起２６が上突起収納凹部３１に配置された場合において、刺具２５が回転操作され、突起２６が突起受溝７８と位置が合い、上記回転操作する力が刺具２５から解除され、刺具２５が自重で下方に落下し、突起２６が突起受溝７８に押し込まれると、上横片２１に対する刺具２５の回転が阻止される。したがって、突起２６が突起受溝７８に押し込まれていると、刺具２５が不用意に回転しないので、突起２６が案内孔３０と向き合って案内孔３０に引き込まれることがない。よって、図７に示すように、刺具２５の尖端が遊技機枠１よりも上方に突出し、当該刺具２５の尖端に当板７３を上からあてがった状態において、当板７３を上から叩いて、刺具２５の尖端を当板７３の内部に打ち込む作業がやり易くなる。
【００５２】
図１５は、発明を実施するための別の第４形態に係る、支持躯体２８と刺具２５の頭部２７との間に弾性体８０を設けた形態を示す。この第４形態によれば、図１５のａ図に示すように、刺具２５の尖端が上横片２１の上面から内部に収納され、突起２６が上横片２１の下面に弾性体２９のばね力で接触している状態において、弾性体８０は頭部２７の上に搭載されているとともに支持躯体２８から下方に離れている。そして、突起２６が案内孔３０を通って案内孔３０から上突起収納凹部３１に収められる過程において、弾性体８０が支持躯体２８に接触して支持躯体２８と頭部２７との間で圧縮変形を受けることによって突起２６を上突起収納凹部３１の上面に押し付けるので、刺具２５が不用意に回転することがなく、刺具２５の尖端が上横片２１よりも上方に突出し、当該刺具２５の尖端に当板７３を上からあてがった状態において、当板７３を上から叩いて、刺具２５の尖端を当板７３の内部に打ち込む作業がやり易くなる。
【００５３】
図１６は、発明を実施するための他の第５形態に係る、刺具２５の頭部２７の下面に工具用凹部８１を頭部２７の下面から内部に窪むように形成した形態を示す。この第５形態によれば、刺具２５を操作する場合、図外のドライバーのような工具の先端部を工具用凹部８１に挿入し、工具で刺具２５を回転したり持ち上げたりすることができる。
【００５４】
図１７は、発明を実施するための他の第６形態に係る、遊技機枠１の上横片２１に刺具２５を設け、下横片２２に刺具４１を設けない形態を示す。この第６形態によれば、遊技機枠１を設置する遊技設置構造体６０の遊技機枠１を載せるための支持台の上面に遊技機枠１の下横片２２を受け止める一対のストッパー８３を設けるか、または、図７のａ図に示す貨物自動車の荷台７０に受容部７２を有する敷物７１を設けておき、遊技機枠１を遊技設置構造体６０に取り付ける場合、遊技機枠１の下横片２２を一対のストッパー８３の間に挿入した状態において、刺具２５の尖端を上横片２１よりも上方に突出して遊技設置構造体６０の遊技機枠１を固定するための横桟６２に差し込むことにより、または、遊技機枠１を貨物自動車の荷台７０に搭載する場合、刺具２５の尖端を上横片２１よりも上方に突出して図７のｂ図に示す当板７３に差し込むことによって、遊技機枠１を遊技設置構造体６０または貨物自動車の荷台７０に倒れないように固定することができる。
【００５５】
上固定具２３と下固定具２４とを同じ構造で形成し、その同一形態の固定具を上固定具２３として上横片２１に取り付け、当該同一形態の固定具を下固定具２４として下横片２２に取り付けてもよい。このように同一形態の固定具を上横片２１と下横片２２とに取り付ければ、上固定具２３と下固定具２４とのコストダウンを図ることができる。
【００５６】
突起受溝７８を設ける代わりに、弾性体２９の外形を突起２６の横幅よりも細く形成し、突起２６が上突起収納凹部３１に配置された場合において、弾性体２９の上部が案内孔３０に挿入して突起２６を下から支えることで、前記突起２６が案内孔３０と向き合って案内孔３０に引き込まれることがないようにしてもよい。
【図面の簡単な説明】
【００５７】
【図１】遊技機固定装置を示す分解斜視図（最良の形態）。
【図２】上固定具を示す分解斜視図（最良の形態）。
【図３】下固定具を示す分解斜視図（最良の形態）。
【図４】刺具の引っ込んだ形態を示す断面図（最良の形態）。
【図５】刺具の突出した形態を示す断面図（最良の形態）。
【図６】遊技機枠を遊技設置構造体に取り付ける場合であって、ａ図は固定前の断面図、ｂ図は固定後の断面図（最良の形態）。
【図７】遊技機を貨物自動車に積載する場合であって、ａ図は固定前の側面図、ｂ図は固定後の側面図（最良の形態）。
【図８】遊技機固定装置を示す分解斜視図（他の第１形態）。
【図９】上固定具を示す分解斜視図（他の第１形態）。
【図１０】下固定具を示す分解斜視図（他の第１形態）。
【図１１】刺具の引っ込んだ形態を示す断面図（他の第１形態）。
【図１２】刺具の突出した形態を示す断面図（他の第１形態）。
【図１３】下横片を示す斜視図（他の第２形態）。
【図１４】上横片および刺具を示す斜視図（他の第３形態）。
【図１５】ａ図は刺具の引っ込んだ形態を示す断面図、ｂ図は刺具の突出した形態を示す断面図（他の第４形態）。
【図１６】刺具を示す側面図（他の第５形態）。
【図１７】遊技機枠を遊技設置構造体に取り付けた断面図（他の第６形態）。
【符号の説明】
【００５８】
１  遊技機枠、２１  上横片、２２  下横片、２３  上固定具、２４  下固定具、
２５；４１  刺具、２６；４２  突起、２７；４３  頭部、２８；４４  支持躯体、
２９；４５  弾性体、３０；４６  案内孔、３１；４７  上突起収納凹部、
３２；４８  下突起収納凹部、３９；５５  取付ねじ（ねじ）。
【図１】
2005046602.tif 000003
【図２】
2005046602.tif 000004
【図３】
2005046602.tif 000005
【図４】
2005046602.tif 000006
【図５】
2005046602.tif 000007
【図６】
2005046602.tif 000008
【図７】
2005046602.tif 000009
【図８】
2005046602.tif 000010
【図９】
2005046602.tif 000011
【図１０】
2005046602.tif 000012
【図１１】
2005046602.tif 000013
【図１２】
2005046602.tif 000014
【図１３】
2005046602.tif 000015
【図１４】
2005046602.tif 000016
【図１５】
2005046602.tif 000017
【図１６】
2005046602.tif 000018
【図１７】
2005046602.tif 000019